(57)【特許請求の範囲】
【請求項１】
固定接片を内底部に固定したケースと、回転動作により固定接片と接離する回転接片を保持したローターと、ローターと摩擦により組み付けられてローターを回転動作させるとともに、ローターが所定の回転位置に達した状態でローターとケースの各ストッパーの当接によりローターとの相対回転位置が前記摩擦に抗してスリップして変化する駆動体を備えるとともに、ケースと駆動体に各々設けた第二、第三ストッパーに両端が各々係止されて駆動体を定位置に復帰させるコイルバネをケースの外周に設けたロータリースイッチであって、第二ストッパーはケースの外側に駆動体の方向に略Ｌ状に突出されるように設けられて、前記コイルバネは第二ストッパーの内側に通され、第三ストッパーは第二ストッパーの外側面に位置するように駆動体から突出されているロータリースイッチ。
【発明の詳細な説明】
【０００１】
【産業上の利用分野】
本発明は、自動車のパワーウィンドガラスの位置検出スイッチに好適なロータリースイッチに関する。
【０００２】
【従来の技術】
従来、この種のスイッチは取付に際して、その位置・角度などを精度良く調節をする必要があった。なぜなら、パワーウィンドガラスの所定の検出位置に対応して駆動体を介して制御されるスイッチ動作のタイミングを正確に合わせる必要があるためである。
【０００３】
【発明が解決しようとする課題】
しかしこうした従来技術では、当然のことながらスイッチ取付作業に時間がかかる上、動作精度の面でも思わしい結果を得にくいという解決すべき課題があることに着目されるべきである。本発明はこのような解決課題に初めて着目して、駆動体により駆動されるロータリースイッチの動作精度向上を目的とする。
【０００４】
【課題を解決するための手段】
本発明を要約すると、固定接片を内底部に固定したケースと、回転動作により固定接片と接離する回転接片を保持したローターと、ローターと摩擦により組み付けられてローターを回転動作させるとともに、ローターが所定の回転位置に達した状態でローターとケースの各ストッパーの当接によりローターとの相対回転位置が前記摩擦に抗してスリップして変化する駆動体を備えるとともに、ケースと駆動体に各々設けた第二、第三ストッパーに両端が各々係止されて駆動体を定位置に復帰させるコイルバネをケースの外周に設けたロータリースイッチであって、第二ストッパーはケースの外側に駆動体の方向に略Ｌ状に突出されるように設けられて、前記コイルバネは第二ストッパーの内側に通され、第三ストッパーは第二ストッパーの外側面に位置するように駆動体から突出されているロータリースイッチである。
【０００５】
【作用】
本発明によれば、外部より駆動体に回転力が加えられると、回転接片と一体となったローターが駆動体との摩擦により回転する。そして、ローターが所定の回転位置に達した状態でローターとケースの各ストッパーが当接するようになる。その後も駆動体に回転力が加えられると、互いに摩擦で組み付けられた駆動体とローター間で摩擦に抗してスリップが発生し、駆動体は回転するがローターは停止する。このため、駆動体のストップ位置がばらついて過度に回転した場合でもローターが所定の回転位置に停止するため、回転接片と固定接片との接離は正常に作動する。
【０００６】
【実施例】
次に、本発明の実施例を説明するが、それはあくまで本発明に基づいて採択された具体的例示であり、本発明をその実施例のみに特有な事項に基づいて限定解釈してはならず、本発明の技術的範囲は、請求項に示した事項あるいはその事項と実質的に等価である事項に基づいて定めなければならない。
【０００７】
図示実施例は、一対の円弧状の固定接片１を内底部にインサート成形などで固定した樹脂製のケース２と、回転動作により固定接片１と接離する一対の接点３をもつ回転接片４を保持した樹脂製のローター５と、ローター５と摩擦により組み付けられてローター５を回転動作させるとともに、ローター５が所定の回転位置に達した状態でローター５とケース２の各ストッパー６，７の当接によりローター５との相対回転位置が前記摩擦に抗してスリップして変化する駆動体８を備えたロータリースイッチである。
【０００８】
さらに詳述すれば、ローター５の外周面（又は駆動体８においてローター５の外周に位置する部分の内周面）に複数の突起９を設けてローター５と駆動体８を摩擦により組み付けている。ケース２と駆動体８の第二、第三ストッパー１０，１１に両端が各々係止されて駆動体８を定位置（図２の状態）に復帰させるコイルバネ１２をケース２の外周に設ける。防水用のＯリング１３をケース２の内周面と駆動体８のケース２内の部分の外周面の間に挟む。固定接片１は延長されケース２の側面を通じて端子１４が導出される。回転接片４とローター５の取付は、ローター５の下面に形成した一対の突起１５を回転接片４に通してから突起１５をかしめてなされる。駆動体８の一端には図示されないリンクなどを結合する凸部などの駆動部１６を設ける。回転接片４とローター５及び駆動体８はケース２の内底部から突出された軸１７の外周に回転可能にはめ合わされる。駆動体８とケース２との組み付けは、駆動体８においてケース２の内部に位置する部分の外周に形成した小突起１８をケース２の内周開口縁付近にある溝１９にはめ合わせて行われる。なお、ストッパー７は全体として半円周状をなしているが、ストッパー機能を達成できる部分のみを設けてもよい。さらに、図から明らかなように、第二ストッパー１０はケース２の外側に駆動体８の方向に略Ｌ状に突出されるように設けられて、前記コイルバネ１２は第二ストッパー１０の内側に通され、第三ストッパー１１は第二ストッパー１０の外側面に位置するように駆動体８から突出されている。
【０００９】
本実施例によれば、外部より駆動部１６を介して駆動体８に回転力が加えられると、回転接片４と一体となったローター５が駆動体８との摩擦により回転する。そして、ローター５が所定の回転位置に達した状態でローター５とケース２の各ストッパー６，７が当接するようになる。その後も駆動体８に回転力が加えられると、互いに摩擦で組み付けられた駆動体８とローター５間で摩擦に抗してスリップが発生し、駆動体８は回転するがローター５は停止する。このため、駆動体８のストップ位置がばらついて過度に回転した場合でもローター５が所定の回転位置に停止するから、回転接片４と固定接片１との接離は正常に作動する。ちなみに、本実施例では前記のようにローター５が所定の回転位置に停止した状態で回転接片４は固定接片１，１間を橋絡して端子１４，１４間が閉じられる。次に、駆動体８が前記とは逆方向に駆動されると、コイルバネ１２の付勢力も加わって駆動体８の回転とともに摩擦によりローター５も共に回転し、駆動体８が定位置（図２の状態）に復帰する。この状態では、回転接片４が固定接片１，１と離れて端子１４，１４間が開く。
【００１０】
【発明の効果】
以上のように本発明によれば、駆動体のストップ位置がばらついて過度に回転した場合でもローターが所定の回転位置に停止するため、回転接片と固定接片との接離は正常に作動し、駆動体により駆動されるロータリースイッチにおける動作精度向上が達成される。
【図面の簡単な説明】
【図１】  本発明の実施例を示す分解斜視図
【図２】  同組立断面図
【符号の説明】
１  固定接片
２  ケース
４  回転接片
５  ローター
６，７  ストッパー
８  駆動体
９  突起
１０  第二ストッパー
１１  第三ストッパー
１２  コイルバネ
１３  Ｏリング
【図１】
0003698270.tif 000002
【図２】
0003698270.tif 000003